(57)【要約】  ユーザは、複数の照明デバイスをあるコンフィギュレーション（例えば、円形コンフィギュレーション）に位置付けることによって複数の照明デバイスを制御することができる。照明デバイスの位置を受けることにより、コンフィギュレーションの形状が決定され得る。ライトシーンの組（各ライトシーンは形状に関連する）から、コンフィギュレーションの形状にマッチするライトシーンが選択され得る。その後、選択されたライトシーンに基づいて、複数の照明デバイスが制御される。これにより、ユーザは、例えば、照明デバイスをハート形状のシンボルに配置することによって、ロマンチックなライトシーンを選択することができる。図３参照。
2019500719.tif 000002
【特許請求の範囲】
【請求項１】
ユーザにより決定可能なコンフィギュレーションにおける複数の照明デバイスを制御する方法であって、
前記ユーザにより決定可能なコンフィギュレーションにおける前記複数の照明デバイスの複数の位置を含む位置データを受けるステップ、
受けた前記位置データに基づいて、前記複数の照明デバイスのコンフィギュレーションの形状を決定するステップ、
ライトシーンの組を受けるステップであって、前記ライトシーンの組の各ライトシーンは形状に関連する、ステップ、
決定された前記形状とライトシーンに関連する前記形状とのマッチングを行うことにより前記ライトシーンの組からライトシーンを選択するステップ、及び
選択された前記ライトシーンに基づいて前記複数の照明デバイスを制御するステップ、
を含む、方法。
【請求項２】
前記複数の照明デバイスのコンフィギュレーションの形状を決定するステップはさらに、前記複数の照明デバイスが生成可能な光パターンの形状に基づく、請求項１に記載の方法。
【請求項３】
前記位置データは、前記複数の照明デバイスの１つ以上の照明デバイスと１つ以上のオブジェクトとの相対位置を含む、請求項１又は２に記載の方法。
【請求項４】
前記１つ以上のオブジェクトは、前記複数の照明デバイスのさらなる１つ以上の照明デバイスである、請求項３に記載の方法。
【請求項５】
当該方法はさらに、
前記複数の照明デバイスの前記コンフィギュレーションの決定された前記形状のサイズを決定するステップ、
を含み、
前記複数の照明デバイスを制御するステップはさらに、決定された前記サイズに基づく、請求項１乃至４の何れか一項に記載の方法。
【請求項６】
当該方法はさらに、
前記複数の照明デバイスに含まれる照明デバイスの数を決定するステップ、
を含み、
前記複数の照明デバイスを制御するステップはさらに、決定された前記数に基づく、請求項１乃至５の何れか一項に記載の方法。
【請求項７】
当該方法はさらに、
前記複数の照明デバイスの少なくとも１つの照明デバイスと前記複数の照明デバイスの少なくとも１つの他の照明デバイスとの距離を決定するステップ、
を含み、
前記複数の照明デバイスを制御するステップはさらに、決定された前記距離に基づく、請求項１乃至６の何れか一項に記載の方法。
【請求項８】
当該方法はさらに、
前記複数の照明デバイスの少なくとも１つの照明デバイスの向きを決定するステップ、
を含み、
前記複数の照明デバイスを制御するステップはさらに、決定された前記向きに基づく、請求項１乃至７の何れか一項に記載の方法。
【請求項９】
前記複数の照明デバイスの前記少なくとも１つの照明デバイスの前記向きは、前記複数の照明デバイスの前記コンフィギュレーションの環境に対するものである、請求項８に記載の方法。
【請求項１０】
前記複数の照明デバイスの前記少なくとも１つの照明デバイスの前記向きは、前記複数の照明デバイスの少なくとも１つの他の照明デバイスに対するものである、請求項８に記載の方法。
【請求項１１】
さらなる照明デバイスが、選択された前記ライトシーンに基づいて制御される、請求項１乃至１０の何れか一項に記載の方法。
【請求項１２】
コンピュータデバイス上で実行された場合請求項１乃至１１の何れか一項に記載の方法を実行するよう構成されるコンピュータプログラム。
【請求項１３】
ユーザにより決定可能なコンフィギュレーションにおける複数の照明デバイスを制御するためのコントローラであって、当該コントローラは、
前記ユーザにより決定可能なコンフィギュレーションにおける前記複数の照明デバイスの複数の位置を含む位置データを受けるよう構成される第１のインタフェース、
ライトシーンの組を受ける、及び前記ライトシーンの組の各ライトシーンと形状との関連付けを受けるよう構成される第２のインタフェース、及び
前記複数の照明デバイスの前記コンフィギュレーションの形状を決定する、及び決定された前記形状とライトシーンに関連する前記形状とのマッチングを行うことにより前記ライトシーンの組からライトシーンを選択するよう構成されるプロセッサ、
を含み、前記プロセッサはさらに、選択された前記ライトシーンに基づいて前記複数の照明デバイスを制御するよう構成される、コントローラ。
【請求項１４】
当該コントローラは、前記複数の照明デバイスに含まれる照明デバイスに組込まれる、請求項１３に記載のコントローラ。
【請求項１５】
複数の照明デバイス及び請求項１３又は１４に記載のコントローラを含むシステム。
【発明の詳細な説明】
【技術分野】
【０００１】
本発明は、一般には照明デバイスに関し、とりわけ、携帯可能な、無線で制御可能な照明デバイスに関する。本発明はさらに、そのような照明デバイスを制御するための方法、及び該方法を実行するためのコンピュータプログラムに関する。
【背景技術】
【０００２】
現代の照明デバイスは、色制御及び調光レベル制御等の高度な制御機能を提供する。照明デバイスの出力は、デバイス自体を介して（例えば、照明デバイスに組み込まれたカラーホイールを介して）制御されることができ、無線制御可能な照明デバイスについて、出力は、（例えば、スマートフォン上のアプリケーションを介して）遠隔制御されることができる。このような制御オプションは、現在、典型的には固定位置（例えば、天井のペンダント）に配置される照明デバイス、及びユーザが頻繁に再配置する照明デバイス（例えば、バッテリ駆動のポータブル照明デバイス）に用いられる。
【発明の概要】
【発明が解決しようとする課題】
【０００３】
本発明者らは、より直感的な制御オプションが、ユーザが再配置する照明デバイスのために実現され得ることを認識した。ユーザが容易に再配置できる照明デバイスの例は、様々な色の光を様々な調光レベルで提供するために遠隔制御されることができる、バッテリ駆動のポータブル照明デバイスであるPhilips Hue Goである。斯かる照明デバイスは、例示的な例として、夕食前のドリンク中にムード照明を提供するために、パティオ上にユーザにより配置されることができる。その後、同デバイスは、その夜遅く、夜間の読書を楽しむユーザをサポートするよう機能的な白色光を提供するために、ソファーの隣に置かれることができる。複数の上述したバッテリ駆動のポータブル照明デバイス等の複数の照明デバイスが、ユーザにより決定可能なコンフィギュレーション(user determinable configuration)において配置される場合、コンフィギュレーションの形状(shape)が、ライトシーン(light scene)を選択するために用いられることができる。例えば、ハートマーク(heart symbol)に複数の照明デバイスをコンフィギュレーションするユーザは、これによりロマンチックなライトシーンを選択することができる。
【課題を解決するための手段】
【０００４】
第１の態様では、ユーザにより決定可能なコンフィギュレーションにおける複数の照明デバイスを制御する方法が提供される。当該方法は、ユーザにより決定可能なコンフィギュレーションにおける複数の照明デバイスの複数の位置を含む位置データを受けるステップ、受けた位置データに基づいて、複数の照明デバイスのコンフィギュレーションの形状を決定するステップ、ライトシーンの組(set of light scenes)、及びライトシーンの組の各ライトシーンと形状との関連付け(association)を受けるステップ、決定された形状とライトシーンに関連する形状とのマッチングを行う(matching)ことによりライトシーンの組からライトシーンを選択するステップ、及び選択されたライトシーンに基づいて複数の照明デバイスを制御するステップ、を含む。受けた位置データは、データであって、該データに基づき、照明デバイスの絶対位置（例えば、GPS座標）又は照明デバイスの相対位置（例えば、グリッド内のx、y座標）が決定され得る、データを含むことができる。このデータは、複数の照明デバイスのコンフィギュレーションの形状を、例えば、該形状をデフォルトの形状と比較し、その後どの形状がユーザにより決定可能なコンフィギュレーションの形状に最もよくマッチするかを決定することにより、決定するために用いられる。
【０００５】
ライトシーンの組は、受けられる、例えば、ローカルメモリ若しくはリモート記憶装置から、又はオンラインサービスから検索される(retrieve)。ライトシーンの組の各ライトシーンは、形状に関連付けられる。ライトシーンは、単一の形状に関連付けられることができ、又は、ライトシーンは、複数の形状に関連付けられることができる（例えば、ロマンチックなライトシーンは、ハートマークの形状及びキューピッドの像の形状(cupid figure shape)の両方に関連付けられることができる）。照明デバイスのユーザにより決定可能なコンフィギュレーションの形状と、ライトシーンの組内のライトシーンに関連する形状の１つとのマッチングを行うことにより、適切なライトシーン（当該ライトシーンに従って複数の照明デバイスは制御される）が選択されることができる。
【０００６】
斯くして、ユーザが複数の照明デバイスをコンフィギュレーションした形状が、複数の照明デバイスが制御されるのに選択されるべきライトシーンを決定するように、ユーザが、複数の照明デバイスをコンフィギュレーションすることを可能にする方法が提供される。これは、例えば、形状に応じて容易にコンフィギュレーションされることができるバッテリ駆動の携帯型照明デバイスを使用して、ライトシーンを直感的に制御することを可能にする。
【０００７】
第１の態様による方法の一実施形態において、複数の照明デバイスのコンフィギュレーションの形状を決定するステップはさらに、複数の照明デバイスが生成可能な光パターンの形状に基づく。複数の照明デバイス（の少なくとも一部）により生成される光効果(light effect)の形状を決定することにより、複数の照明デバイスのコンフィギュレーションの形状（例えば、円形）と複数の照明デバイスのコンフィギュレーションの光効果の形状（例えば、水滴状）との間の相違が説明されることができる。複数の照明デバイスのうちの１つの照明デバイスによって生成される光効果と、複数の照明デバイスのうちの他の照明デバイスによって生成される光効果とは、例えば、これらが光を放つ方向の面を考慮したこれらの位置（例えば、距離）又はこれらの光学特性に起因して、同じである必要はない。
【０００８】
第１の態様による方法のさらに他の実施形態において、位置データは、複数の照明デバイスの１つ以上の照明デバイスと１つ以上のオブジェクトとの相対位置を含む。１つ以上のオブジェクトは、複数の照明デバイスのうちのさらなる１つ以上の照明デバイスであり得る。このような位置データは容易に決定され得る（例えば各照明デバイスはデータを送信及び受信し、さらに信号強度測定を実行することを可能にする無線機を有する場合等）ので、複数の照明デバイスのコンフィギュレーションの形状をそれらの相対位置に基づいて決定することは有益である。
【０００９】
第１の態様による方法の様々な実施形態において、当該方法は、決定された形状のサイズを決定するステップ、を含み、複数の照明デバイスを制御するステップはさらに、決定されたサイズに基づく、及び／又は、複数の照明デバイスに含まれる照明デバイスの数を決定するステップ、を含み、複数の照明デバイスを制御するステップはさらに、決定された数に基づく、及び／又は、複数の照明デバイスの少なくとも１つの照明デバイスと複数の照明デバイスの少なくとも１つの他の照明デバイスとの距離を決定するステップ、を含み、複数の照明デバイスを制御するステップはさらに、決定された距離に基づく、及び／又は、複数の照明デバイスの少なくとも１つの向き（例えば、上下、発光窓の方向等）を決定するステップ、を含み、複数の照明デバイスを制御するステップはさらに、決定された向きに基づく。複数の照明デバイスの少なくとも１つの照明デバイスの向きは、複数の照明デバイスのコンフィギュレーションの環境に対する向き（例えば、複数の照明デバイスが取り付けられる壁に関する照明デバイスの向き）であり得る。複数の照明デバイスの少なくとも１つの照明デバイスの向きは、複数の照明デバイスの少なくとも１つの他の照明デバイスに対することがあり得る（例えば、第１の照明デバイスは、複数の照明デバイスのうちの第２の照明デバイスの上に配置される）。
【００１０】
第１の態様による方法の一実施形態において、１つ以上のさらなる照明デバイス（すなわち、複数の照明デバイスの一部ではない照明デバイス、言い換えれば、ユーザが照明デバイスをコンフィギュレーションした形状の一部ではない照明デバイス）が、選択されたライトシーンに基づいて制御される。これは、ハートマーク形状に複数の照明デバイスをコンフィギュレーションするユーザが、さらなる照明デバイスが、このように選択されたロマンチックなライトシーンの一部であることを望む場合に有益である。
【００１１】
第２の態様において、第１の態様による方法を実行するためのコンピュータプログラムが提供される。コンピュータプログラムは、コンピュータデバイス上で実行された場合当該方法を実行するよう構成される。斯様なコンピュータデバイスは、例えば、照明コントローラ又は照明デバイスに埋め込まれたチップであり得る。さらなる例として、コンピュータプログラムは、ユーザにより決定可能なコンフィギュレーションにおける複数の照明デバイスの複数の位置を含む位置データを受け、受けた位置データに基づいて、複数の照明デバイスのコンフィギュレーションの形状を決定し、さらにライトシーンの組、及びライトシーンの組の各ライトシーンと形状との関連付けを受け、複数の照明デバイスを制御するために、決定された形状とライトシーンに関連する形状とのマッチングを行うことによりライトシーンの組からライトシーンを選択することができる、スマートフォン又は同様のデバイスにダウンロードされるアプリケーションであり得る。
【００１２】
第３の態様において、ユーザにより決定可能なコンフィギュレーションにおける複数の照明デバイスを制御するためのコントローラが提供される。コントローラは、第１のインタフェース、第２のインタフェース及びプロセッサを含む。第１のインタフェースは、ユーザにより決定可能なコンフィギュレーションにおける複数の照明デバイスの複数の位置を含む位置データを受けるよう構成される。第２のインタフェースは、ライトシーンの組、及びライトシーンの組の各ライトシーンと形状との関連付けを受けるよう構成される。プロセッサは、複数の照明デバイスのコンフィギュレーションの形状を決定するよう構成される。プロセッサはさらに、決定された形状とライトシーンに関連する形状とのマッチングを行うことによりライトシーンの組からライトシーンを選択するよう構成される。プロセッサはさらに、選択されたライトシーンに基づいて複数の照明デバイスを制御するよう構成される。
【００１３】
特に有利な実施形態において、コントローラは、複数の照明デバイスに含まれる照明デバイスとして動作するよう構成される、言い換えれば、コントローラは、照明デバイスに組込まれる。このように、複数の照明デバイスのうちの１つの照明デバイスは、コントローラの機能性を備えることができる。このような機能性は、さらに別の実施形態では、複数の照明デバイスのいくつかの照明デバイス又は複数の照明デバイスの全ての照明デバイスに分散されることができる。
【００１４】
第４の態様においては、システムが提供される。当該システムは、第３の態様によるコントローラ及び複数の照明デバイスを含む。斯様なシステムを提供することは、コントローラ及び複数の照明デバイスが、例えばシステムとして動作するように事前構成されることができるので有益である。
【００１５】
本発明のこれらの及び他の態様は、以下に述べられる実施形態を参照して明らかになるであろう。
【図面の簡単な説明】
【００１６】
【図１】ユーザにより決定可能なコンフィギュレーションにおける複数の照明デバイスを制御する方法を概略的且つ例示的に示す。
【図２】コントローラ及び複数の照明デバイスを概略的且つ例示的に示す。
【図３】自身の位置を決定するよう構成される照明デバイスを概略的且つ例示的に示す。
【図４】互いに対する相対位置を決定する複数の照明デバイスを概略的且つ例示的に示す。
【図５】自身の位置を三角測量する照明デバイスを概略的且つ例示的に示す。
【図６】照明効果を表面上にレンダリングする照明デバイスを概略的且つ例示的に示す。
【図７】円にコンフィギュレーションされた複数の照明デバイスを概略的且つ例示的に示す。
【発明を実施するための形態】
【００１７】
図１において、ユーザにより決定可能なコンフィギュレーションにおける複数の照明デバイスを制御する方法１００が示されている。この方法は、複数の照明デバイスの複数の位置データを受けるステップ１１０、形状を決定するステップ１２０、ライトシーンを受けるステップ１３０、ライトシーンを選択するステップ１４０、及び複数の照明デバイスを制御するステップ１５０を含む。これら照明デバイスは、ユーザにより決定可能なコンフィギュレーションになっていて、それ自体は、ユーザが、複数の照明デバイスの１つ以上の照明デバイスをそれぞれの位置にある程度の自由度をもって配置している。全ての照明デバイスは自由に配置されることができるか、又は複数の照明デバイスの１つ以上の照明デバイスは固定位置に置かれことができる（例えば、照明デバイスは表面上に配置される必要があり得、複数の照明デバイスの１つは固定位置にあり、複数の照明デバイスの残りの照明デバイスは、固定照明デバイスの所定の距離内に配置される必要があるか、又は全ての照明デバイスが、互いに所定の距離内に配置されなければならない）。
【００１８】
受けた位置データは、ユーザにより決定可能なコンフィギュレーションにおける複数の照明デバイスの複数の位置を含む。複数の照明デバイスの各照明デバイスの位置が知られることが好ましいが、これは必ずしも必要ではない。一例として、１０個の照明デバイスが一緒に円に配置される場合、これは、複数の照明デバイスの複数の位置が知られる場合に十分な程度の確度(certainty)で決定されることができる。この確度は、複数の照明デバイスのより多くの照明デバイスの位置が知られるにつれて増加する。受ける位置データは、例えば、複数の照明デバイスの各照明デバイスがGPSセンサを有し、自身の絶対位置を決定する場合、照明デバイスの絶対位置を含むことができる。受ける位置データは、例えば、各照明デバイスが受信機及び送信機として働き、それらの位置を決定するために信号強度計算を用いる場合、照明デバイスの相対位置を含むことができる。受けた位置データは、複数の照明デバイスのコンフィギュレーションの形状を決定するために用いられる。例えば、位置データから、複数の照明デバイスは、単語（例えば、ラブ(love)）を綴り出すように、又はシンボル（例えば、ハートマーク）を提供するように配置されていることが推測され得る。形状は、複数の照明デバイスのコンフィギュレーションの形態である。形状は、コンフィギュレーションのサイズ、コンフィギュレーションの輪郭内又は輪郭に沿う照明デバイスの密度等にさらに関係することができるが、必ずしもそうである必要はない。
【００１９】
いくつかの例を挙げると、外部データベース、クラウドサービス又は内部メモリから、ライトシーンの組が受けられる。ライトシーンの組の各ライトシーンは、形状に関連付けられている。例えば、ロマンチックなライトシーンは、ハートマークの形状と関連付けられてもよく、さらに、綴られた単語「ラブ(love)」の形状に関連してもよい。ライトシーンは、決定された形状とライトシーンに関連する形状とのマッチングを行うことによって、ライトシーンの組から選択される。マッチングは、例えば、完全一致（ハードマッチ）を見つけることに関連することができるが、マッチングは、さらなる例として、合同な形状(congruent shape)、類似の形状(similar shape)又は同相の形状(homeomorphic shape)（ソフトマッチ）を見つけることに関連することができる。後者は、さらに別の例として、ユーザが複数の照明デバイスを用いて完全ではない円を作ったことを補うことができる。
【００２０】
その後、複数の照明デバイスは、選択されたライトシーンに基づいて制御される。これにより、ユーザは、複数の照明デバイスをハートマークに配置し、これら照明デバイスは、ハートマークに関連する「ロマンチックなライトシーン」に従って光出力を提供することができる。さらなる例として、形状は、ユーザが複数のハート形状のシンボルとして複数の照明デバイスをコンフィギュレーションする等、繰り返すことができる。斯くして、「形状」という語句の使用は、「パターン」にも関連し得る。さらに別の例として、ユーザは、複数の照明デバイスを列にコンフィギュレーションすることができ、この場合、照明デバイスのコンフィギュレーションの形状は、（直線状の）ラインである。さらに、ユーザが、複数の照明デバイスが（直線状の）ラインになるように複数の照明デバイスをコンフィギュレーションする場合、これら照明デバイスは、機能的なライトシーンを選択するために互いに近接して（例えば、各照明デバイスは、次の照明デバイスから１０cm未満離れて）、又は互いに遠くに（例えば、各照明デバイスは、次の照明デバイスから１０cm以上離れて）位置付けられることができる。これにより、ユーザは、例示を続けると、例えば狭いビームを用いた居心地の良いライトシーン(cozy light scene)、又は例えば広いビームを用いた機能的なライトシーンをそれぞれ選択することができる。
【００２１】
任意選択的に、１つ以上のさらなる照明デバイス（例えば、近くのシャンデリア）が、選択された「ロマンチックなライトシーン」に基づいて制御されることができる。ハートマークの形状の複数の照明デバイスが、例えば、円を形成するために再配置される場合、円をコンフィギュレーションするために、照明デバイスのいくつかは使用されなくてもよく、追加の照明デバイスがユーザによって追加されてもよい。この例では、円で使用されない照明デバイスは、制御される必要はなく（例えば、消灯するように制御される）、コンフィギュレーションに追加される照明デバイスは、円の新たなコンフィギュレーションを作り出す複数の照明デバイスの一部として制御される。
【００２２】
図２は、複数の照明デバイス２００及びコントローラ２１０を示す。コントローラ２１０は、どのような形状で照明デバイス２２０、２２１、２２２、２２３、２２４、２２５、２２６、２２７がコンフィギュレーションされているか（例えば、正方形、円形又は矩形のコンフィギュレーション）を決定する。コントローラは、複数の照明デバイス２００のうちの少なくともいくつかに関する位置データを受ける。位置データは、例えば、カメラからのビデオフィード(video feed)又は静止画像、又は斯かるビデオフィード又は静止画像から抽出された個々の照明デバイスについての位置データを含むことができる。別の例として、位置データは、照明デバイス内のGPS受信機によって決定された照明デバイスの絶対位置を含むことができる。各照明デバイスの位置が決定される必要は必ずしもない。複数の照明デバイスのコンフィギュレーションの形状は、複数の照明デバイスの少なくともいくつかの位置が分かる場合に、十分な確度で決定されることができる。例えば、図２において、円形状及び直線形状に関するライトシーンがある場合、照明デバイス２２０、２２１、２２２、２２３及び２２４の位置を受けるが、照明デバイス２２５、２２６及び２２７の位置は受けなくても、ユーザにより決定されたコンフィギュレーションの形状を正しいライトシーンにマッチさせるのに十分であろう。
【００２３】
図３は、GPS衛星からGPS信号３２０を受信するGPS受信機３１５を含む照明デバイス３１０を示す。この位置データは、例えば、他の照明デバイスの位置データとは別個に、又は一緒にコントローラに渡されることができる。これは、照明デバイスの位置を決定する一例に過ぎない。他のオプションとして、屋内測位システムの一部として符号化光信号(coded light signal)を受信する光センサを有する照明デバイスがある。図４において、第１の送信／受信ユニット４１５を有する第１の照明デバイス４１０、第２の送信／受信ユニット４３５を有する第２の照明デバイス４３０、及び第３の送信／受信ユニット４５５を有する第３の照明デバイス４５０が示されている。第１の送信／受信ユニットは、第２の送信／受信ユニット４３５と通信し（４２０）、さらに第３の送信／受信ユニット４５５と通信する（４６０）。第２の送信／受信ユニットはさらに、第３の送信／受信ユニットと通信する（４４０）。３つの照明デバイス４１０、４３０、４５０は全て、例えば、ZigBee又はWiFi信号等の信号を送信及び受信することができるので、それらの相対位置を決定することができる。位置の決定は、例えば、信号強度又は信号の飛行時間に基づくことができる。照明デバイスの相対位置は、他の照明デバイスを考慮して、又は他のオブジェクトを考慮して決定されることができる。例えば、これら照明デバイスは、その信号を受信することができる１つ以上のビーコンに関してそれらの位置を決定することができる。様々な実施形態において、システムの一部として動作するようコンフィギュレーションされる１つ以上の照明デバイス、コントローラ又は追加のデバイスは、照明デバイスの（相対的な）位置を決定することができる。図５は、第１のデバイス５３０から第１の信号５３５、第２のデバイス５４０から第２の信号５４５、及び第３のデバイス５５０から第３の信号５５５を受信することに基づいて自身の位置を決定する照明デバイス５１０を示す。信号５３５、５４５及び５５５は、同じタイプ（例えば、WiFi信号）又は異なるタイプ（例えば、WiFi信号、ZigBee信号及びさらなる無線信号）であり得る。照明デバイス５１０は、受信信号に基づいて自身の位置を三角測量するよう構成される受信機を備える。照明デバイス５１０及び複数の照明デバイスの他の照明デバイスから受ける位置データは、生データ（例えば、信号強度測定値）又は処理データ（例えば、第１のデバイス５３０、第２のデバイス５４０及び第３のデバイス５５０の各々の位置を知っている照明デバイスは、受信した信号及びこれらデバイスの位置に基づいて自身の位置を決定することができる）を含むことができる。さらなる例として、照明デバイス５１０は、３つのデバイス５３０、５４０及び５５０によって受信される信号を発することができる。この信号は、３つのデバイスが一緒に照明デバイス５１０の位置を決定するように処理されることができる。さらに別の例として、照明デバイス５１０は、２つのデバイス５３０及び５４０から信号を受信し、他の装置５５０に信号を送信することができる。さらに別の例として、照明デバイスはカメラを備えることができ、画像解析技術が、キャプチャした画像に基づいて照明デバイスの位置を決定す���ために用いられることができる。
【００２４】
図６は、表面６３０（例えば、テーブル）上に光効果６２０を生み出す光ビーム６１５を発する照明デバイス６１０（例えば、テーブル上に置かれたテーブルランプ）を示す。複数の照明デバイスのコンフィギュレーションの形状はさらに、複数の照明デバイスが生成可能な光パターンの形状に基づいて決定されることができる。例えば、直線状に配置された複数の照明デバイスは、表面に対するそれらの向きに基づいて、又はそれらの光学系に基づいて、直線以外の光効果を生成することができる。さらなる例として、照明デバイスは、ユーザが、発せられた光のビーム形状を変更すること又はビームの方向を変更することを可能にするユーザによりコンフィギュラブルな光学系を有することができる。複数の照明デバイスのうちの少なくともいくつかに関する受けた位置データは、これら照明デバイスが生み出し得る光効果に関する位置データを含むことができる。一例として、照明デバイスは、該照明デバイスが光効果を生み出す位置を提供することができる。さらなる例として、照明デバイスは、それ自身の位置と、光効果を生み出す位置を示すオフセットとを提供することができる。
【００２５】
図７は、照明デバイス７１０、照明デバイス７１１、照明デバイス７１２、照明デバイス７１３、照明デバイス７１４、照明デバイス７１５、照明デバイス７１６及び照明デバイス７１７を含む複数の照明デバイス７００を示す。この例において、照明デバイスは円として配置されている。ライトシーンの組７２０は、第１の形状７３５（例えば、正方形）に関連する第１のライトシーン７３０、第２の形状７４５（例えば、円）に関連する第２のライトシーン７４０、及び第３の形状（例えば、ハートマーク）７５５に関連する第３のライトシーン７５０を含む。本方法、又はコントローラ等の本方法を実行するデバイスは、複数の照明デバイス７００のユーザにより決定可能なコンフィギュレーションの形状が円であり、これは第２のライトシーン７４０に関連する第２の形状７４５とマッチすることを決定することができる。その後、複数の照明デバイス７００は、第２のライトシーン７４０に従って制御される。
【００２６】
さらなる例として、複数の照明デバイスが円に配置される場合、照明デバイスは、円の周りを動くレインボー効果を示すように制御され得る。複数の照明デバイスを構成する１２の照明デバイスがある場合、照明デバイスは、（例えば、時及び／又は分及び／又は秒の文字盤が別々の色を用いて円と交差する場所を示す）時間指示(time indication)を表示するように制御されることができる。照明デバイスの向きは、「時計」の上部が何であるかを決定するために用いられることができる。
【００２７】
さらに別の例として、照明デバイスは、壁に沿って直線状にユーザによってコンフィギュレーションされ得る。照明デバイスの光放出窓が下方を向いている場合、これら照明デバイスは、（例えば、夜間にユーザが廊下を通るのを助けるために）ソフトな案内光を提供するように制御され、これら照明デバイスが、代わりに上方にそれらの光放出窓を持つようにユーザによりコンフィギュレーションされている場合、これら照明デバイスは、（例えば、壁が位置する部屋に雰囲気を作り出すために）ウォールウォッシャ光効果を発する。
【００２８】
本発明は、図面及び前述の説明において詳細に図示及び説明されてきたが、そのような図示及び説明は、説明的又は例示的であって制限的ではないとみなされるべきであり、本発明は開示された実施形態に限定されない。開示された実施形態に対する他の変更は、図面、開示、及び添付の特許請求の範囲の研究から、クレームされた発明を実施する際に当業者によって理解され、達成され得る。特許請求の範囲において、「含む（comprising）」という単語は他の要素又はステップを排除するものではなく、不定冠詞「a」又は「an」は複数を除外しない。特定の手段が相互に異なる従属請求項に列挙されているという単なる事実は、これらの手段の組み合わせが有利に使用できないことを示すものではない。第１のデータ、第２のデータ、第３のデータ等への言及は、そのようなデータ間の順序又は関係を示さない。特許請求の範囲内のいかなる参照符号も、範囲を限定するものとして解釈されるべきではない。
【図１】
2019500719.tif 000003
【図２】
2019500719.tif 000004
【図３】
2019500719.tif 000005
【図４】
2019500719.tif 000006
【図５】
2019500719.tif 000007
【図６】
2019500719.tif 000008
【図７】
2019500719.tif 000009
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ユーザにより決定可能なコンフィギュレーションにおける複数の照明デバイスを制御する方法であって、
前記ユーザにより決定可能なコンフィギュレーションにおける前記複数の照明デバイスの複数の位置を含む位置データを受けるステップ、
受けた前記位置データに基づいて、前記複数の照明デバイスのコンフィギュレーションの形状を決定するステップ、
ライトシーンの組を受けるステップであって、前記ライトシーンの組の各ライトシーンは形状に関連する、ステップ、
決定された前記形状とライトシーンに関連する前記形状とのマッチングを行うことにより前記ライトシーンの組からライトシーンを選択するステップ、及び
選択された前記ライトシーンに基づいて前記複数の照明デバイスを制御するステップ、
を含む、方法。
【請求項２】
前記複数の照明デバイスのコンフィギュレーションの形状を決定するステップはさらに、前記複数の照明デバイスが生成する光パターンの形状に基づく、請求項１に記載の方法。
【請求項３】
前記位置データは、前記複数の照明デバイスの１つ以上の照明デバイスと１つ以上のオブジェクトとの相対位置を含む、請求項１又は２に記載の方法。
【請求項４】
前記１つ以上のオブジェクトは、前記複数の照明デバイスのさらなる１つ以上の照明デバイスである、請求項３に記載の方法。
【請求項５】
当該方法はさらに、
前記複数の照明デバイスの前記コンフィギュレーションの決定された前記形状のサイズを決定するステップ、
を含み、
前記複数の照明デバイスを制御するステップはさらに、決定された前記サイズに基づく、請求項１乃至４の何れか一項に記載の方法。
【請求項６】
当該方法はさらに、
前記複数の照明デバイスに含まれる照明デバイスの数を決定するステップ、
を含み、
前記複数の照明デバイスを制御するステップはさらに、決定された前記数に基づく、請求項１乃至５の何れか一項に記載の方法。
【請求項７】
当該方法はさらに、
前記複数の照明デバイスの少なくとも１つの照明デバイスと前記複数の照明デバイスの少なくとも１つの他の照明デバイスとの距離を決定するステップ、
を含み、
前記複数の照明デバイスを制御するステップはさらに、決定された前記距離に基づく、請求項１乃至６の何れか一項に記載の方法。
【請求項８】
当該方法はさらに、
前記複数の照明デバイスの少なくとも１つの照明デバイスの向きを決定するステップ、
を含み、
前記複数の照明デバイスを制御するステップはさらに、決定された前記向きに基づく、請求項１乃至７の何れか一項に記載の方法。
【請求項９】
前記複数の照明デバイスの前記少なくとも１つの照明デバイスの前記向きは、前記複数の照明デバイスの前記コンフィギュレーションの環境に対するものである、請求項８に記載の方法。
【請求項１０】
前記複数の照明デバイスの前記少なくとも１つの照明デバイスの前記向きは、前記複数の照明デバイスの少なくとも１つの他の照明デバイスに対するものである、請求項８に記載の方法。
【請求項１１】
前記複数の照明デバイスに含まれないさらなる照明デバイスが、選択された前記ライトシーンに基づいて制御される、請求項１乃至１０の何れか一項に記載の方法。
【請求項１２】
コンピュータデバイス上で実行された場合請求項１乃至１１の何れか一項に記載の方法を実行するよう構成されるコンピュータプログラム。
【請求項１３】
ユーザにより決定可能なコンフィギュレーションにおける複数の照明デバイスを制御するためのコントローラであって、当該コントローラは、
前記ユーザにより決定可能なコンフィギュレーションにおける前記複数の照明デバイスの複数の位置を含む位置データを受けるよう構成される第１のインタフェース、
ライトシーンの組を受ける、及び前記ライトシーンの組の各ライトシーンと形状との関連付けを受けるよう構成される第２のインタフェース、及び
前記複数の照明デバイスの前記コンフィギュレーションの形状を決定する、及び決定された前記形状とライトシーンに関連する前記形状とのマッチングを行うことにより前記ライトシーンの組からライトシーンを選択するよう構成されるプロセッサ、
を含み、前記プロセッサはさらに、選択された前記ライトシーンに基づいて前記複数の照明デバイスを制御するよう構成される、コントローラ。
【請求項１４】
請求項１３に記載のコントローラを含む照明デバイスであって、前記コントローラは、前記複数の照明デバイスに含まれる当該照明デバイスに組込まれる、照明デバイス。
【請求項１５】
複数の照明デバイス及び請求項１３に記載のコントローラ又は請求項１４に記載の照明デバイスを含むシステム。
【国際調査報告】
2019500719.tif 000010
2019500719.tif 000011